(57)【要約】  エリア環境取得部（２００）は、各温度センサ（５）から計測データを通信により取得し、取得した計測データに含まれる空気温度の計測値をエリア環境テーブル（２４２）に保存する。保管料決定部（２０２）は、エリア環境テーブル（２４２）における各保管エリアの空気温度の履歴に基づいて、各保管エリアの保管料を決定する。エリア選択画面情報送信部（２０３）は、保管料決定部（２０２）により決定された各保管エリアの保管料を示す保管料情報に基づいてエリア選択画面情報を生成し、荷主端末（３）に送信する。
2019244241.tif 000002
【特許請求の範囲】
【請求項１】
倉庫内の複数の保管エリアの各々の環境に関するエリア環境情報を取得する環境情報取得手段と、
前記取得された各保管エリアのエリア環境情報を記憶する情報記憶手段と、
前記各保管エリアのエリア環境情報の履歴に基づいて、前記各保管エリアの保管料を決定する保管料決定手段と、
前記決定された各保管エリアの保管料に関する保管料情報を保管料表示装置に送信する情報送信手段と、を備える保管料決定装置。
【請求項２】
前記保管料情報には、前記各保管エリアのエリア環境情報の履歴が含まれる、請求項１に記載の保管料決定装置。
【請求項３】
前記環境情報取得手段は、前記複数の保管エリアの各々に対応して設置され、空気温度を計測する複数の温度センサの各々から、計測値が格納された計測データを受信することで、前記各保管エリアのエリア環境情報を取得する、請求項１又は２に記載の保管料決定装置。
【請求項４】
前記情報記憶手段は、前記複数の保管エリアの各々の位置に関するエリア位置情報をさらに記憶し、
前記環境情報取得手段は、前記各エリア位置情報に基づいて、対応する保管エリアの空気温度を推定することで、前記各保管エリアのエリア環境情報を取得する、請求項１又は２に記載の保管料決定装置。
【請求項５】
保管料決定装置と、保管料表示装置とを備え、
前記保管料決定装置は、
倉庫内の複数の保管エリアの各々の環境に関するエリア環境情報を取得する環境情報取得手段と、
前記取得された各保管エリアのエリア環境情報を記憶する情報記憶手段と、
前記各保管エリアのエリア環境情報の履歴に基づいて、前記各保管エリアの保管料を決定する保管料決定手段と、
前記決定された各保管エリアの保管料に関する保管料情報を前記保管料表示装置に送信する情報送信手段と、を備え、
前記保管料表示装置は、
前記保管料情報を前記保管料決定装置から受信する情報受信手段と、
前記保管料情報を予め定めた態様で表示する表示手段と、を備える、保管料提示システム。
【請求項６】
前記複数の保管エリアの各々に対応して設置され、空気温度を計測する複数の温度センサをさらに備え、
前記保管料決定装置の前記環境情報取得手段は、前記複数の温度センサの各々から、計測値が格納された計測データを受信することで、前記各保管エリアのエリア環境情報を取得する、請求項５に記載の保管料提示システム。
【請求項７】
前記複数の保管エリアの各々に対応して設置され、湿度、塵埃濃度、臭気、カビ量、光量、振動の少なくとも１つを計測する複数の環境センサをさらに備え、
前記保管料決定装置の前記環境情報取得手段は、前記複数の環境センサの各々から、計測値が格納された計測データを受信することで、前記各保管エリアのエリア環境情報を取得する、請求項５に記載の保管料提示システム。
【請求項８】
倉庫内の複数の保管エリアの各々の環境に関するエリア環境情報を取得し、
前記取得した各保管エリアのエリア環境情報の履歴に基づいて、前記各保管エリアの保管料を決定し、
前記決定した各保管エリアの保管料に関する保管料情報を保管料表示装置に送信する、保管料決定方法。
【請求項９】
コンピュータを、
倉庫内の複数の保管エリアの各々の環境に関するエリア環境情報を取得する環境情報取得手段、
前記取得された各保管エリアのエリア環境情報の履歴に基づいて、前記各保管エリアの保管料を決定する保管料決定手段、
前記決定された各保管エリアの保管料に関する保管料情報を保管料表示装置に送信する情報送信手段、として機能させる、プログラム。
【発明の詳細な説明】
【技術分野】
【０００１】
本発明は、保管料決定装置、保管料提示システム、保管料決定方法及びプログラムに関する。
【背景技術】
【０００２】
物品を保管する倉庫においては、保管エリアの場所に依らず、同じ保管料（ここでは、単位期間当たりの料金を意味する。）が設定されているケースが多いが、例えば、特許文献１に開示されるように、冷凍状態で保管される場合と常温状態で保管される場合等、当該物品の保管温度帯によって保管料が異なるケースも知られている。
【先行技術文献】
【特許文献】
【０００３】
【特許文献１】特開２００８−７２５６号公報
【発明の概要】
【発明が解決しようとする課題】
【０００４】
ところで、この種の倉庫では、庫内の場所によって環境（例えば、空気温度、湿度等）の変動の程度が異なるという問題がある。例えば、庫内の搬入口付近、壁際などの場所は、空気の流入出、輻射熱などの影響により、他の場所に比べ空気温度の変動が大きい。この問題は、庫内の複数の場所で個別の温度調整（例えば、目標とする保冷温度が異なる等）を行った場合でも同様に生じ得る。【０００５】
このため、全ての保管エリアで同じ保管料を設定したり、あるいは、物品の保管温度帯によって保管料を設定する従来の方式では、保管料が合理的に決定されているとはいえず、不公平感、不信感を持つ荷主も少なくないのが実情である。【０００６】
本発明は、上記実情に鑑みてなされたものであり、倉庫の保管料を合理的に決定する保管料決定装置等を提供することを目的とする。
【課題を解決するための手段】
【０００７】
上記目的を達成するため、本発明に係る保管料決定装置は、
倉庫内の複数の保管エリアの各々の環境に関するエリア環境情報を取得する環境情報取得手段と、
前記取得された各保管エリアのエリア環境情報を記憶する情報記憶手段と、
前記各保管エリアのエリア環境情報の履歴に基づいて、前記各保管エリアの保管料を決定する保管料決定手段と、
前記決定された各保管エリアの保管料に関する保管料情報を保管料表示装置に送信する情報送信手段と、を備える。
【発明の効果】
【０００８】
本発明によれば、倉庫の保管料を合理的に決定することが可能となる。
【図面の簡単な説明】
【０００９】
【図１】本発明の実施の形態１に係る倉庫管理システムの全体構成を示す図
【図２】実施の形態１の管理サーバの構成を示すブロック図
【図３】実施の形態１の管理サーバが備える二次記憶装置について説明するための図
【図４】実施の形態１のエリア管理テーブルの一例を示す図
【図５】実施の形態１のエリア環境テーブルの一例を示す図
【図６】実施の形態１の物品管理テーブルの一例を示す図
【図７】実施の形態１の荷主端末の構成を示すブロック図
【図８】実施の形態１の倉庫端末の構成を示すブロック図
【図９】実施の形態１の管理サーバの機能構成を示すブロック図
【図１０】実施の形態１において、保管エリアの環境特性と保管料との対応関係の一例を示す図
【図１１】実施の形態１において、荷主端末に表示されるエリア選択画面の一例を示す図
【図１２】実施の形態１の倉庫管理システムが実行する保管依頼受付処理の流れを示す図
【図１３】実施の形態１の変形例において、荷主端末に表示されるエリア選択画面の一例を示す図
【図１４】実施の形態１の変形例において、荷主端末に表示される実績画面の一例を示す図
【図１５】本発明の実施の形態２に係る倉庫管理システムの全体構成を示す図
【図１６】実施の形態２の管理サーバが備える二次記憶装置について説明するための図
【図１７】実施の形態２のエリア管理テーブルの一例を示す図
【図１８】実施の形態２において、保管エリアの位置情報について説明するための図
【図１９】実施の形態２の空調機情報テーブルの一例を示す図
【図２０】実施の形態２の管理サーバの機能構成を示すブロック図
【発明を実施するための形態】
【００１０】
以下、本発明の実施の形態について図面を参照して詳細に説明する。
【００１１】
実施の形態１．
図１は、本発明の実施の形態１に係る倉庫管理システム１の全体構成を示す図である。倉庫管理システム１は、本発明に係る保管料提示システムの一例である。倉庫管理システム１は、倉庫Ｗの管理を行うシステムである。特徴的には、倉庫管理システム１は、倉庫Ｗ内における複数の保管エリアの各々の保管料を、各保管エリアの環境特性に応じて決定し、物品の保管を依頼する者（以下、荷主という。）に提示する。倉庫Ｗは、冷蔵倉庫、冷凍倉庫等の低温で物品を保管する倉庫であり、それぞれが複数の保管エリアを有する複数の棚（図示せず）を備える。なお、ここでいう「保管料」とは、１ｍ３当たりの予め定めた期間（例えば、１ヶ月）当たりの料金を意味する。
【００１２】
倉庫管理システム１は、管理サーバ２と、荷主端末３と、倉庫端末４と、複数の温度センサ５とを備える。管理サーバ２は、本発明に係る保管料決定装置の一例である。管理サーバ２は、倉庫Ｗのオーナが委託した管理会社によって運用されるサーバコンピュータであり、一般的なＷｅｂサーバとしての機能を有し、インターネットに接続される。
【００１３】
管理サーバ２は、図２に示すように、通信インタフェース２０と、ＣＰＵ２１と、ＲＯＭ２２と、ＲＡＭ２３と、二次記憶装置２４とを備える。これらの構成部は、バス２５を介して相互に接続される。
【００１４】
通信インタフェース２０は、インターネットに接続して、荷主端末３、倉庫端末４、各温度センサ５等の他の装置と通信するためのインタフェースである。ＣＰＵ（Central Processing Unit）２１は、管理サーバ２を統括的に制御する。ＣＰＵ２１によって実現される管理サーバ２の機能の詳細については後述する。
【００１５】
ＲＯＭ（Read Only Memory）２２は、複数のファームウェアとこれらのファームウェアの実行時に使用されるデータを記憶する。ＲＡＭ（Random Access Memory）２３は、ＣＰＵ２１の作業領域として使用される。
【００１６】
二次記憶装置２４は、本発明に係る情報記憶手段の一例である。二次記憶装置２４は、ＥＥＰＲＯＭ（Electrically Erasable Programmable Read-Only Memory）、フラッシュメモリ等の読み書き可能な不揮発性の半導体メモリ、ＨＤＤ（Hard Disk Drive）等で構成される。二次記憶装置２４は、図３に示すように、倉庫管理プログラム２４０と、エリア管理テーブル２４１と、エリア環境テーブル２４２と、物品管理テーブル２４３とを記憶する。
【００１７】
倉庫管理プログラム２４０は、倉庫Ｗの管理に係る処理が記述されたプログラムである。倉庫Ｗの管理に係る処理には、各保管エリアの保管料を当該保管エリアの環境特性に応じて決定し、決定した各保管エリアの保管料を荷主に提示し、荷主から保管エリアの選択を受け付ける処理が含まれる。
【００１８】
エリア管理テーブル２４１は、倉庫Ｗが有する複数の保管エリアの各々を管理するための情報が格納されたデータテーブルである。具体的には、図４に示すように、エリア管理テーブル２４１には、エリアＩＤ項目２４１０と、エリア名称項目２４１１と、空調機ＩＤ項目２４１２と、センサＩＤ項目２４１３と、設定温度項目２４１４と、空き容量項目２４１５とを有するレコードが、保管エリアの数分、登録されている。
【００１９】
エリアＩＤ項目２４１０は、当該保管エリアを特定するためのＩＤ（identification）が格納される領域である。エリア名称項目２４１１は、当該保管エリアの名称を示すデータが格納される領域である。空調機ＩＤ項目２４１２は、当該保管エリアに対応する空調機（図示せず）を特定するためのＩＤが格納される領域である。センサＩＤ項目２４１３は、当該保管エリアに対応する温度センサ５を特定するためのＩＤが格納される領域である。
【００２０】
設定温度項目２４１４は、対応する空調機に設定された目標温度（℃）を示す値が格納される領域である。当該空調機は、当該保管エリアの空気温度が当該目標温度となるように空調を行う。なお、本実施の形態では、各保管エリアの目標温度は、同一（例えば、５℃）である。空き容量項目２４１５は、当該保管エリアの空きスペースの体積（ｍ３）を示す値が格納される領域である。
【００２１】
図３に戻り、エリア環境テーブル２４２は、エリア環境テーブル２４２は、複数の保管エリアの各々の環境に関する情報（以下、環境情報という。）の履歴が格納されるデータテーブルである。環境情報は、本発明に係るエリア環境情報の一例である。本実施の形態では、環境情報として、空気温度が採用されており、エリア環境テーブル２４２に登録されるレコードには、図５に示すように、エリアＩＤ項目２４２０と、日時項目２４２１と、計測温度項目２４２２とが含まれる。
【００２２】
エリアＩＤ項目２４２０は、当該保管エリアを特定するためのＩＤが格納される領域である。日時項目２４２１は、当該保管エリアに対応する温度センサ５から空気温度の計測値が格納された計測データを取得した日時（年月日及び時刻）を示すデータが格納される領域である。計測温度項目２４２２は、当該温度センサ５から取得した計測データに含まれる計測値、即ち、計測された空気温度（℃）の値が格納される領域である。
【００２３】
エリア環境テーブル２４２には、各保管エリアの過去３ヶ月分の空気温度の履歴が保存される。
【００２４】
図３に戻り、物品管理テーブル２４３は、倉庫Ｗに保管されている物品及び保管予定（即ち、入庫予定）の物品に関する情報が格納されたデータテーブルである。図６に示すように、物品管理テーブル２４３には、物品ＩＤ項目２４３０と、品名項目２４３１と、サイズ項目２４３２と、荷主ＩＤ項目２４３３と、エリアＩＤ項目２４３４と、入庫日項目２４３５とが格納されたレコードが、保管中及び保管予定の物品の総数分、登録されている。
【００２５】
物品ＩＤ項目２４３０は、保管中又は保管予定の物品を特定するためのＩＤが格納される領域である。品名項目２４３１は、当該物品の名称であり、例えば、牛肉、ケーキ、弁当等を示すデータが格納される領域である。サイズ項目２４３２は、当該物品のサイズ、即ち、縦、横及び高さの各長さ（ｃｍ）を示す値が格納される領域である。荷主ＩＤ項目２４３３は、荷主を特定するためのＩＤが格納される領域である。エリアＩＤ項目２４３４は、当該物品が保管されている又は保管先となる予定の保管エリアのＩＤが格納される領域である。入庫日項目２４３５は、当該物品が入庫された日（年月日）又は当該物品の入庫予定日（年月日）を示すデータが格納される領域である。
【００２６】
図１に戻り、荷主端末３は、本発明に係る保管料表示装置の一例である。荷主端末３は、荷主となる企業の建物内に設置され、当該企業の担当者により操作されるコンピュータ機器である。荷主端末３は、図７に示すように、ディスプレイ３０と、操作受付部３１と、通信インタフェース３２と、ＣＰＵ３３と、ＲＯＭ３４と、ＲＡＭ３５と、二次記憶装置３６とを備える。これらの構成部は、バス３７を介して相互に接続される。
【００２７】
ディスプレイ３０は、本発明に係る表示手段の一例である。  ディスプレイ３０は、液晶ディスプレイ、有機ＥＬディスプレイ、プラズマディスプレイ、ＣＲＴディスプレイ等の表示デバイスを含んで構成される。ディスプレイ３０は、ＣＰＵ３３の制御の下、ユーザ操作に応じた各種の画面等を表示する。
【００２８】
操作受付部３１は、押しボタン、キーボード、マウス、キーパッド、タッチパネル、タッチパッド等の１つ以上の入力デバイスを含んで構成され、ユーザからの操作入力を受け付け、受け付けた操作に係る信号をＣＰＵ３３に送出する。
【００２９】
通信インタフェース３２は、本発明に係る情報受信手段の一例である。  通信インタフェース３２は、インターネットに接続し、管理サーバ２等の他の装置と通信するためのインタフェースである。ＣＰＵ３３は、荷主端末３を統括的に制御する。
【００３０】
ＲＯＭ３４は、複数のファームウェアとこれらのファームウェアの実行時に使用されるデータを記憶する。ＲＡＭ３５は、ＣＰＵ３３の作業領域として使用される。
【００３１】
二次記憶装置３６は、ＥＥＰＲＯＭ、フラッシュメモリ等の読み書き可能な不揮発性の半導体メモリ、ＨＤＤ等で構成される。二次記憶装置３６には、管理サーバ２にアクセスして、物品の保管を依頼するための手続を行うためのプログラム（以下、保管手続プログラムという。）と、かかる保管手続プログラムの実行時に使用されるデータとが記憶される。
【００３２】
図１に戻り、倉庫端末４は、倉庫Ｗの出入口ドアＤの近傍にある仕分場に設置され、物品の出入庫を行う作業者により操作されるコンピュータ機器である。倉庫端末４は、図８に示すように、ディスプレイ４０と、操作受付部４１と、通信インタフェース４２と、ＣＰＵ４３と、ＲＯＭ４４と、ＲＡＭ４５と、二次記憶装置４６とを備える。これらの構成部は、バス４７を介して相互に接続される。
【００３３】
ディスプレイ４０は、液晶ディスプレイ、有機ＥＬディスプレイ、プラズマディスプレイ、ＣＲＴディスプレイ等の表示デバイスを含んで構成される。ディスプレイ４０は、ＣＰＵ４３の制御の下、ユーザ操作に応じた各種の画面等を表示する。
【００３４】
操作受付部４１は、押しボタン、キーボード、マウス、キーパッド、タッチパネル、タッチパッド等の１つ以上の入力デバイスを含んで構成され、ユーザからの操作入力を受け付け、受け付けた操作に係る信号をＣＰＵ４３に送出する。
【００３５】
通信インタフェース４２は、インターネットに接続し、管理サーバ２等の他の装置と通信するためのインタフェースである。ＣＰＵ４３は、倉庫端末４を統括的に制御する。
【００３６】
ＲＯＭ４４は、複数のファームウェアとこれらのファームウェアの実行時に使用されるデータを記憶する。ＲＡＭ４５は、ＣＰＵ４３の作業領域として使用される。
【００３７】
二次記憶装置４６は、ＥＥＰＲＯＭ、フラッシュメモリ等の読み書き可能な不揮発性の半導体メモリ、ＨＤＤ等で構成される。二次記憶装置４６には、管理サーバ２にアクセスして、管理サーバ２から、当日に入庫が予定される物品のリスト（以下、入庫リストという。）を取得するためたのプログラム（以下、入庫リスト取得プログラムという。）と、かかるプログラムの実行時に使用されるデータとが記憶される。
【００３８】
図１に戻り、各温度センサ５は、各保管エリア内の適所に設置され、対応する保管エリアの空気温度を計測する。各温度センサ５は、何れも図示しないが、センサ回路と、通信インタフェースと、ＣＰＵと、ＲＯＭと、ＲＡＭと、ＥＥＰＲＯＭ、フラッシュメモリ等の読み書き可能な不揮発性の半導体メモリと、一次電池又は二次電池とを備える。
【００３９】
各温度センサ５は、倉庫Ｗ内に設置されたルータ６を介してインターネットに接続され、管理サーバ２とデータ通信を行う。詳細には、各温度センサ５は、管理サーバ２から計測データの送信要求を示す通知をルータ６を介して受信すると、空気温度を計測し、計測した空気温度の値が格納された計測データをルータ６を介して管理サーバ２に送信する。
【００４０】
図９は、管理サーバ２の機能構成を示すブロック図である。管理サーバ２は、機能的には、エリア環境取得部２００と、手続要求通知受信部２０１と、保管料決定部２０２と、エリア選択画面情報送信部２０３と、保管依頼情報受信部２０４と、テーブル更新部２０５と、リスト要求通知受信部２０６と、リスト情報送信部２０７とを備える。これらの機能部は、ＣＰＵ２１が二次記憶装置２４に記憶されている倉庫管理プログラム２４０を実行することで実現される。
【００４１】
エリア環境取得部２００は、本発明に係る環境情報取得手段の一例である。エリア環境取得部２００は、一定時間毎（例えば、５分毎）に各温度センサ５から計測データを通信により取得する。エリア環境取得部２００は、取得した各計測データに含まれる送信元の温度センサ５のＩＤ及び空気温度の計測値と、当該計測データの受信時刻と、エリア管理テーブル２４１とに基づいて、当該温度センサ５に対応する保管エリアの環境情報に関するレコードを生成し、エリア環境テーブル２４２（図５参照）に登録する。
【００４２】
手続要求通知受信部２０１は、荷主端末３から送信された、物品の保管を依頼する手続を要求する通知（以下、手続要求通知という。）を受信する。荷主となる企業の担当者（以下、単に荷主と称する。）は、新たな物品の保管を依頼する際、荷主端末３を操作して前述した保管手続プログラムを起動させる。これにより、荷主端末３のＣＰＵ３３は、手続要求通知を通信インタフェース３２を介して管理サーバ２に送信する。
【００４３】
保管料決定部２０２は、本発明に係る保管料決定手段の一例である。保管料決定部２０２は、手続要求通知受信部２０１により手続要求通知が受信されると、エリア環境テーブル２４２における各保管エリアの環境情報（即ち、空気温度）の履歴に基づいて、各保管エリアの保管料を決定する。以下、保管料決定部２０２による保管料決定の手法について詳細に説明する。
【００４４】
先ず、保管料決定部２０２は、エリア環境テーブル２４２から、エリアＩＤが“Ａ００１”の保管エリア（即ち、エリアＡ）の空気温度の値（即ち、計測温度項目２４２２の格納値）の履歴を予め定めた期間分（例えば、１ヶ月分）取得する。また、エリア管理テーブル２４１から、当該保管エリア（即ち、エリアＡ）の目標温度の値（即ち、設定温度項目２４１４の格納値）を取得する。
【００４５】
保管料決定部２０２は、取得した各空気温度の値と、取得した目標温度の値との差の二乗平均平方根（ＲＭＳ）を算出する。
【００４６】
保管料決定部２０２によって算出された上記のＲＭＳは、当該保管エリアの環境特性を示すものといえる。保管料決定部２０２は、算出したＲＭＳ、即ち、環境特性に応じて保管料を決定する。例えば、ＲＭＳと保管料との間には、図１０に示すような対応関係が予め設定されており、保管料決定部２０２は、算出したＲＭＳと、かかる対応関係とに基づいて、当該保管エリア（即ち、エリアＡ）の保管料を決定する。図１０に示されるように、保管料は、ＲＭＳが小さい程、高い金額となり、ＲＭＳが大きい程、安い金額となる。
【００４７】
保管料決定部２０２は、エリアＩＤが“Ａ００２”,“Ａ００３”,…の保管エリアについても上記と同様にして、保管料を決定する。
【００４８】
エリア選択画面情報送信部２０３は、本発明に係る情報送信手段の一例である。エリア選択画面情報送信部２０３は、保管料決定部２０２により決定された各保管エリアの保管料を示す保管料情報と、エリア管理テーブル２４１に格納されている各保管エリアの空き容量とに基づいて、エリア選択画面情報を生成し、手続要求通知を送信した荷主端末３に送信する。エリア選択画面情報は、荷主から所望の保管エリアの選択を受け付けるための画面を示す情報である。
【００４９】
かかるエリア選択画面情報を受信した荷主端末３のＣＰＵ３３は、受信したエリア選択画面情報を予め定めた態様でディスプレイ３０に表示する。具体的には、ＣＰＵ３３は、図１１に示すエリア選択画面をディスプレイ３０に表示する。図１１に示すようにエリア選択画面では、各保管エリアに対応付けて保管料と空き容量とが表示される。また、エリア選択画面には、各保管エリアに対応付けてＧＵＩ（Graphical User Interface）ボタンである選択ボタンが設けられている。荷主は、所望の保管エリアに対応する選択ボタンを押下操作し、ＧＵＩボタンである実行ボタンを押下操作することで、当該保管エリアの選択を確定させることができる。
【００５０】
また、エリア選択画面情報を受信した荷主端末３のＣＰＵ３３は、荷主による保管エリアの選択が完了した後、図示しない物品情報入力画面をディスプレイに３０に表示する。物品情報入力画面は、荷主から、保管を依頼する物品に関する情報（以下、物品情報という。）の入力を受け付けるための画面である。物品情報には、物品の名称、サイズ（縦、横、高さの各長さ（ｃｍ））、入庫予定日等の情報が含まれる。
【００５１】
荷主により、保管エリアの選択と、物品情報の入力が完了すると、ＣＰＵ３３は、保管依頼情報を生成し、通信インタフェース３２を介して管理サーバ２に送信する。保管依頼情報には、当該荷主のＩＤと、選択された保管エリアを示す情報と、入力された物品情報とが含まれている。
【００５２】
管理サーバ２の保管依頼情報受信部２０４は、荷主端末３から送信された保管依頼情報を受信する。テーブル更新部２０５は、保管依頼情報受信部２０４により受信された保管依頼情報に基づいて、物品管理テーブル２４３と、エリア管理テーブル２４１とを更新する。詳細には、テーブル更新部２０５は、当該保管依頼情報で示される物品にＩＤを付与し、付与したＩＤと、当該保管依頼情報から抽出した、物品の名称と、サイズと、荷主のＩＤと、選択された保管エリアのＩＤと、入庫予定日とに基づいて生成したレコードを物品管理テーブル２４３（図６参照）に新規登録する。
【００５３】
また、エリア管理テーブル２４１については、テーブル更新部２０５は、当該選択された保管エリアに対応するレコードに含まれる空き容量項目２４１５の格納値から、当該物品のサイズに応じた容量を差し引く。以上のようにして、物品管理テーブル２４３及びエリア管理テーブル２４１が更新される。
【００５４】
リスト要求通知受信部２０６は、倉庫端末４から送信された、入庫リストを要求する通知（以下、リスト要求通知という。）を受信する。倉庫Ｗの入庫作業者は、管理サーバ２から入庫リストの提示を受けたい場合、倉庫端末４を操作して前述した入庫リスト取得プログラムを起動させる。これにより、倉庫端末４のＣＰＵ４３は、リスト要求通知を通信インタフェース４２を介して管理サーバ２に送信する。
【００５５】
リスト情報送信部２０７は、リスト要求通知受信部２０６によりリスト要求通知が受信されると、物品管理テーブル２４３を参照して、入庫日が本日である全ての物品について、物品ＩＤと、名称と、保管エリアのＩＤとを対応付けた情報（以下、入庫予定情報という。）を取得する。リスト情報送信部２０７は、取得した各入庫予定情報に基づいて、入庫リストを示す情報（以下、リスト情報という。）を生成し、倉庫端末４に送信する。
【００５６】
倉庫端末４のＣＰＵ４３は、管理サーバ２から送信されたリスト情報を通信インタフェース４２を介して受信すると、当該リスト情報で示される入庫リストをディスプレイ４０に表示する。これにより、入庫作業者は、本日入庫が予定される物品と、その保管先となる保管エリアを直ちに認識することができる。
【００５７】
図１２は、本実施の形態の倉庫管理システム１で実行される保管依頼受付処理の流れを示す図である。荷主が荷主端末３を操作して保管手続プログラムを起動させると、荷主端末３は、手続要求通知を管理サーバ２に送信する（ステップＳ１０１）。
【００５８】
管理サーバ２の保管料決定部２０２は、手続要求通知受信部２０１により荷主端末３から送信された手続要求通知が受信されると、エリア環境テーブル２４２における各保管エリアの空気温度の履歴に基づいて、各保管エリアの保管料を決定する（ステップＳ１０２）。
【００５９】
エリア選択画面情報送信部２０３は、保管料決定部２０２により決定された各保管エリアの保管料を示す保管料情報と、エリア管理テーブル２４１に格納されている各保管エリアの空き容量とに基づいて、エリア選択画面情報を生成する（ステップＳ１０３）。エリア選択画面情報送信部２０３は、生成したエリア選択画面情報を荷主端末３に送信する（ステップＳ１０４）。
【００６０】
荷主端末３のＣＰＵ３３は、エリア選択画面情報を通信インタフェース３２を介して受信すると、エリア選択画面（図１１参照）をディスプレイ３０に表示する（ステップＳ１０５）。荷主により、所望の保管エリアに対応する選択ボタンが押下操作され、実行ボタンが押下操作されると、当該保管エリアの選択が確定する。
【００６１】
荷主による保管エリアの選択が完了すると、ＣＰＵ３３は、物品情報入力画面をディスプレイ３０に表示する（ステップＳ１０６）。荷主による物品情報の入力が完了すると、ＣＰＵ３３は、当該荷主のＩＤと、選択された保管エリアを示す情報と、入力された物品情報とが格納された保管依頼情報を生成する（ステップＳ１０７）。そして、ＣＰＵ３３は、生成した保管依頼情報を通信インタフェース３２を介して管理サーバ２に送信する（ステップＳ１０８）。
【００６２】
管理サーバ２のテーブル更新部２０５は、保管依頼情報受信部２０４により保管依頼情報が受信されると、当該保管依頼情報に基づいて物品管理テーブル２４３を更新する（ステップＳ１０９）。また、テーブル更新部２０５は、エリア管理テーブル２４１を更新する（ステップＳ１１０）。
【００６３】
以上説明したように、実施の形態１に係る倉庫管理システム１では、管理サーバ２は、各保管エリアの保管料を当該保管エリアの空気温度の履歴に基づいて決定し、決定した各保管エリアの保管料を荷主に提示する。即ち、倉庫管理システム１によれば、物品を適正温度で保管するための重要な要因である空気温度の履歴に基づいて、各保管エリアの保管料が決定される。そして、このように合理的に決定された保管料を荷主に提示して、保管エリアの選択を荷主から受け付ける。このため、荷主は不公平感、不信感を持つことなく、物品の保管を依頼できる。
【００６４】
なお、管理サーバ２から荷主端末３に送信される、エリア選択画面情報に、各保管エリアの空気温度の値の履歴が含まれていてもよい。この場合、荷主端末３で表示されるエリア選択画面には、図１３に示すように、各保管エリアに対応付けて、ＧＵＩボタンである実績ボタンが設けられている。荷主により、何れかの保管エリアに対応する実績ボタンが押下操作されると、荷主端末３のＣＰＵ３３は、当該保管エリアの空気温度の値の履歴に基づいて、当該保管エリアの環境実績を示す画面（以下、実績画面という。）を図１３に示すエリア選択画面上にポップアップ表示する。実績画面の一例を図１４に示す。
【００６５】
このように、実績画面を表示して、各保管エリアの環境実績を確認できるようにすることで、荷主は、当該保管エリアが当該物品の保管に適した環境であるか否かを容易に判断できる。その結果、荷主は、当該物品の品質を損なわずに保管することができ、且つ、より低料金な保管エリアを選択することができる。
【００６６】
また、荷主端末３は、管理サーバ２からエリア選択画面情報を受信した際、先ず物品情報入力画面を表示し、荷主から物品情報の入力を受け付けた後に、エリア選択画面（図１１参照）を表示して、荷主から保管エリアの選択を受け付けるようにしてもよい。あるいは、荷主端末３は、エリア選択画面と物品情報入力画面を統合した画面を表示して、荷主から、保管エリアの選択と、物品情報の入力とをまとめて受け付けるようにしてもよい。
【００６７】
また、管理サーバ２のエリア選択画面情報送信部２０３は、保管料情報をエリア選択画面情報として荷主端末３に送信してもよい。この場合、荷主端末３で表示されるエリア選択画面には、各保管エリアの空き容量は表示されない。
【００６８】
また、管理サーバ２のエリア環境取得部２００は、空気温度ではなく、各保管エリアにおける湿度、塵埃濃度、臭気、カビ量、光量、振動等を環境情報として取得してもよい。この場合、各保管エリアには、各温度センサ５の代わりに、湿度、塵埃濃度、臭気、カビ量、光量、振動等を計測する環境センサが設置される。
【００６９】
実施の形態２．
続いて、本発明の実施の形態２について説明する。なお、以下の説明において、実施の形態１と共通する構成要素等については、同一の符号を付し、その説明を省略する。
【００７０】
図１５は、本発明の実施の形態２に係る倉庫管理システム１Ａの全体構成を示す図である。倉庫管理システム１Ａは、管理サーバ２Ａと、荷主端末３と、倉庫端末４とを備える。管理サーバ２Ａのハードウェア構成は、実施の形態１の管理サーバ２と同様（図２参照）である。
【００７１】
管理サーバ２Ａの二次記憶装置２４は、図１６に示すように、倉庫管理プログラム２４０Ａと、エリア管理テーブル２４１Ａと、エリア環境テーブル２４２と、物品管理テーブル２４３と、空調機情報テーブル２４４とを記憶する。
【００７２】
倉庫管理プログラム２４０Ａは、倉庫管理プログラム２４０と同様、倉庫Ｗの管理に係る処理が記述されたプログラムである。但し、倉庫管理プログラム２４０Ａと倉庫管理プログラム２４０とは、各保管エリアの空気温度を取得する処理に関する部分について相違がある。管理サーバ２Ａが実行する当該処理の詳細については後述する。
【００７３】
エリア管理テーブル２４１Ａの各レコードには、図１７に示すように、位置情報項目２４１６が追加されている。位置情報項目２４１６は、当該保管エリアの位置情報が格納される領域である。この位置情報は、本発明に係るエリア位置情報の一例である。この位置情報には、各壁（正面壁、奥壁、左壁及び右壁）からの距離（ｍ）を示す値、床面からの距離（ｍ）を示す値等が含まれる。図１８に示すように、正面壁とは、倉庫Ｗの出入口ドアＤが設けられた壁を意味する。また、奥壁とは、出入口ドアＤから見て倉庫Ｗの奥側の壁を意味する。また、左壁とは、出入口ドアＤから見て左側の壁を意味し、右壁とは、出入口ドアＤから見て右側の壁を意味する。
【００７４】
図１６に戻り、空調機情報テーブル２４４は、倉庫Ｗに設置される複数の空調機（図示せず）の各々に関する情報が格納されたデータテーブルである。具体的には、図１９に示すように、空調機情報テーブル２４４には、空調機ＩＤ項目２４４０と、位置情報項目２４４１と、運転状態項目２４４２とを有するレコードが、空調機の設置台数分、登録されている。
【００７５】
空調機ＩＤ項目２４４０は、空調機のＩＤが格納される領域である。位置情報項目２４４１は、当該空調機の位置情報が格納される領域である。この位置情報には、各壁（正面壁、奥壁、左壁及び右壁）からの距離（ｍ）を示す値、床面からの距離（ｍ）を示す値等が含まれる。運転状態項目２４４２は、当該空調機の現在の運転状態を示す情報が格納される領域である。運転状態を示す情報には、空冷運転中又は空冷運転の停止中、風量、風向等を示す情報が含まれる。なお、各空調機は、常時、空冷運転を行うのではなく、節電のため間欠的な空冷運転を行う。また、各空調機は、霜取りのため深夜に数十分程度、空冷運転を停止する。このように、各空調機の運転状態は動的に変化する。
【００７６】
図２０は、管理サーバ２Ａの機能構成を示すブロック図である。管理サーバ２Ａの機能構成では、管理サーバ２の機能構成と異なり、エリア環境取得部２００がエリア環境取得部２００Ａに変更されている。他の機能構成については、管理サーバ２Ａと管理サーバ２との間に相違はない。
【００７７】
エリア環境取得部２００Ａは、一定時間毎（例えば、５分毎）に各保管エリアの空気温度を推定する。詳細には、エリア環境取得部２００Ａは、エリア管理テーブル２４１Ａと空調機情報テーブル２４４とを参照して、エリアＩＤが“Ａ００１”の保管エリア（即ち、エリアＡ）について、当該保管エリアの位置情報と、対応する空調機の位置情報と、当該空調機の運転状態を示す情報とを取得する。そして、エリア環境取得部２００Ａは、取得したこれらの情報をパラメータとした予め定めた計算（例えば、周知の気流解析処理に基づく計算）を行うことで、当該保管エリア（即ち、エリアＡ）の現在の空気温度の値を推定する。
【００７８】
エリア環境取得部２００Ａは、当該保管エリアのＩＤ（即ち、“Ａ００１”）と、推定した空気温度の値と、現在時刻とに基づいて、当該保管エリアの環境情報に関するレコードを生成し、エリア環境テーブル２４２（図５参照）に登録する。
【００７９】
エリア環境取得部２００Ａは、エリアＩＤが“Ａ００２”,“Ａ００３”,…の保管エリアについても上記と同様にして、現在の空気温度の値を推定し、当該保管エリアの環境情報に関するレコードを生成して、エリア環境テーブル２４２に登録する。
【００８０】
以上説明したように、実施の形態２に係る倉庫管理システム１Ａでは、管理サーバ２Ａは、各保管エリアの位置情報等に基づいて、各保管エリアの現在の空気温度を推定する。したがって、各保管エリアに温度センサ５を設置する必要がなく、低コスト化が図れる。
【００８１】
本発明は、上記の各実施の形態に限定されず、本発明の要旨を逸脱しない範囲での種々の変更は勿論可能である。
【００８２】
例えば、管理サーバ２，２Ａは、物品の保管が終了した後に、当該物品が保管されていた保管エリアの保管料を決定してもよい。この場合、管理サーバ２，２Ａは、当該物品が保管されていた期間における環境情報の履歴に基づいて、当該保管エリアの保管料を決定する。このように、物品の保管後においても、保管料を合理的に決定することが可能である。
【００８３】
上記の各実施の形態では、ＣＰＵ２１によって二次記憶装置２４に記憶されている倉庫管理プログラム２４０，２４０Ａが実行されることで、管理サーバ２，２Ａの機能部（図９、図２０参照）が実現された。しかし、管理サーバ２，２Ａの機能部の全部又は一部が、専用のハードウェアで実現されるようにしてもよい。専用のハードウェアとは、例えば、単一回路、複合回路、プログラム化されたプロセッサ、ＡＳＩＣ（Application Specific Integrated Circuit）、ＦＰＧＡ（Field-Programmable Gate Array）、又は、これらの組み合わせである。
【００８４】
また、倉庫管理プログラム２４０，２４０Ａは、ＣＤ−ＲＯＭ（Compact Disc Read Only Memory）、ＤＶＤ（Digital Versatile Disc）、光磁気ディスク（Magneto-Optical Disc）、ＵＳＢ（Universal Serial Bus）メモリ、メモリカード、ＨＤＤ等のコンピュータ読み取り可能な記録媒体に格納して配布することも可能である。そして、このように配布した倉庫管理プログラム２４０，２４０Ａを特定の又は汎用のコンピュータにインストールすることによって、当該コンピュータを管理サーバ２，２Ａとして機能させることも可能である。
【００８５】
また、倉庫管理プログラム２４０，２４０Ａをインターネット上の図示しないサーバが有する記憶装置に格納しておき、当該サーバから管理サーバ２，２Ａに倉庫管理プログラム２４０，２４０Ａがダウンロードされるようにしてもよい。
【００８６】
本発明は、広義の精神と範囲を逸脱することなく、様々な実施の形態及び変形が可能である。また、上述した実施の形態は、本発明を説明するためのものであり、本発明の範囲を限定するものではない。つまり、本発明の範囲は、実施の形態ではなく、請求の範囲によって示される。そして、請求の範囲内及びそれと同等の発明の意義の範囲内で施される様々な変形が、本発明の範囲内とみなされる。
【産業上の利用可能性】
【００８７】
本発明は、冷蔵倉庫、冷凍倉庫等の倉庫において物品を保管するシステム等に好適に採用され得る。
【符号の説明】
【００８８】
１，１Ａ  倉庫管理システム、２，２Ａ  管理サーバ、３  荷主端末、４  倉庫端末、５  温度センサ、６  ルータ、２０，３２、４２  通信インタフェース、２１，３３，４３  ＣＰＵ、２２，３４，４４  ＲＯＭ、２３，３５，４５  ＲＡＭ、２４，３６，４６  二次記憶装置、２５，３７，４７  バス、３０，４０  ディスプレイ、３１，４１  操作受付部、２００，２００Ａ  エリア環境取得部、２０１  手続要求通知受信部、２０２  保管料決定部、２０３  エリア選択画面情報送信部、２０４  保管依頼情報受信部、２０５  テーブル更新部、２０６  リスト要求通知受信部、２０７  リスト情報送信部、２４０，２４０Ａ  倉庫管理プログラム、２４１，２４１Ａ  エリア管理テーブル、２４２  エリア環境テーブル、２４３  物品管理テーブル、２４４  空調機情報テーブル
【図１】
2019244241.tif 000003
【図２】
2019244241.tif 000004
【図３】
2019244241.tif 000005
【図４】
2019244241.tif 000006
【図５】
2019244241.tif 000007
【図６】
2019244241.tif 000008
【図７】
2019244241.tif 000009
【図８】
2019244241.tif 000010
【図９】
2019244241.tif 000011
【図１０】
2019244241.tif 000012
【図１１】
2019244241.tif 000013
【図１２】
2019244241.tif 000014
【図１３】
2019244241.tif 000015
【図１４】
2019244241.tif 000016
【図１５】
2019244241.tif 000017
【図１６】
2019244241.tif 000018
【図１７】
2019244241.tif 000019
【図１８】
2019244241.tif 000020
【図１９】
2019244241.tif 000021
【図２０】
2019244241.tif 000022
【国際調査報告】
2019244241.tif 000023
2019244241.tif 000024